(57)【要約】【課題】使用上の安全性を確保することができるとともに、体裁を良好にすることができる物品吊支構造及び物品収納什器を提供すること。【解決手段】前方に向かって開口された物品収納空間の上方に配置された物品支持部１１の下面に、物品を吊支するための物品吊支構造であって、物品支持部１１の下面から下方に向かう垂下片１２と、垂下片１２の左右いずれか一方の側面に取り付けられたレール部１３の固定部１７と、固定部１７に対して移動可能なレール部１３の移動部１８と、レール部１３の移動部１８の一方側の側面の略全域を閉塞する平板状の基片４０、基片４０の下端部から他方側に向かって延設されて下面に物品を吊下げ可能な吊支部材４４が設けられた水平片３９、及び水平片３９の他方側の端部から上方に向かって延設された立片４１によって正面視上向きコ字状とされた吊支具１６と、を備え、吊支具１６がレール部１３の移動部１８に取り付けられる。【選択図】図２
2015142674.tif 000002
【特許請求の範囲】
【請求項１】
前方に向かって開口された物品収納空間における上方に配置された物品支持部の下面に、物品を吊支するための物品吊支構造であって、
前記物品支持部の下面から下方に向かう垂下片と、
前記垂下片の左右いずれか一方の側面に取り付けられたレール部の固定部と、
前記固定部に対して移動可能な前記レール部の移動部と、
前記レール部の前記移動部の一方側の側面を閉塞する平板状の基片、前記基片の下端部から他方側に向かって延設されて下面に物品を吊下げ可能な吊支部材が設けられた水平片、及び前記水平片の他方側の端部から上方に向かって延設された立片によって正面視上向きコ字状とされた吊支具と、を備え、
前記吊支具が前記レール部の前記移動部に取り付けられていることを特徴とする物品吊支構造。
【請求項２】
前記垂下片の他方の側面に第２レール部の固定部が取り付けられているとともに、前記吊支具の前記立片の一方側の面に前記第２レール部の移動部が取り付けられていることを特徴とする請求項１に記載の物品吊支構造。
【請求項３】
前記吊支具の前記基片の上端から他方側に向かって、上部閉塞片が延設されていることを特徴とする請求項１または２に記載の物品吊支構造。
【請求項４】
請求項１〜３のいずれか１項に記載の物品吊支構造を有することを特徴とする物品収納什器。
【発明の詳細な説明】
【技術分野】
【０００１】
本発明は、物品吊支構造及び物品収納什器に関する。
【背景技術】
【０００２】
物品収納什器の一例として、箱体の内面に沿って設けられた前後方向を向く支持レールによって支持された引出しを備えるものがある。たとえば、箱体の内部両側面において支持レールの一方を構成する固定部と、支持レールの他方を構成し固定部に対してスライド移動する移動部とを引出しの両側部に設有する物品収納什器が知られている。
ている。
【先行技術文献】
【特許文献】
【０００３】
【特許文献１】特許第４８７７９５８号公報
【発明の概要】
【発明が解決しようとする課題】
【０００４】
通常、オフィス、病院、介護施設等の公共施設の執務空間において使用される什器においては、収容する物品によっては、物品を吊支した状態で支持する吊支部が設けられている。このような物品を吊支するための物品吊支構造としては、什器に設けられた構造部下面から下方に向かって垂下して物品吊下げ用フック部を形成し、これによって、物品を吊下げ支持可能としたものがある。このような物品吊支構造によれば、非常に簡易的かつ安価に物品吊支構造を構成することができる。
【０００５】
しかし、このような物品吊支構造では、物品吊支部分が什器の構造部下面に設けられているため、吊支した物品の視認性が悪くなるとともに、吊下げや取り外し作業における作業性が悪くなってしまうという問題を有していた。このような問題を鑑みて、什器の構造部下面に前後に延出自在とされたサスペンションレールの固定部を取り付けるとともに、下面に物品吊下げ用フック部が形成された支持部材の上面にサスペンションレールの移動部を取り付けるものが提案されている。
【０００６】
サンペンションレールを備えた物品吊支構造によって、支持部材を前後方向に引出し可能にできる。そのため、このような物品吊支構造によれば、支持部材を前方に引き出した状態で吊下げや取り外し作業を行うことによって、作業性を良好に保つことができる。また、支持部材の前後方向において複数のフック部を支持部材に形成した場合には、サスペンションレールを有していることによって、後方のフック部に吊下げた物品を取り出しやすくすることができる。
【０００７】
しかしながら、このような物品吊支構造の場合、支持部材引出し状態においてサスペンションレールの上面が外部に露呈することになってしまう。このため、什器としての体裁が悪くなってしまうとともに、使用者の手がサスペンションレールに触れてしまうおそれがあり、使用上の安全性が確保できないという問題を有していた。また、このような物品吊支構造の場合、サスペンションレール部に異物が入ってしまい、動作が悪くなってしまうことがありうる。
【０００８】
また、引出しの両側部に支持レールを構成する移動部が取り付けられている場合、引き出しを引き出したときに、移動部が外部に露呈することとなる。そのため、体裁が悪くなってしまうとともに、使用者の手が移動部に触れてしまうおそれがあり、使用上の安全性が確保できないという問題を有し、移動部に異物が入ってしまい、動作が悪くなってしまうことがありうる。
【０００９】
本発明は、上述した事情に鑑みてなされたものであり、使用上の安全性を確保することができるとともに、体裁を良好にすることができる物品吊支構造及び物品収納什器を提供することを目的としている。
【課題を解決するための手段】
【００１０】
本発明の一態様は、前方に向かって開口された物品収納空間における上方に配置された物品支持部の下面に、物品を吊支するための物品吊支構造であって、前記物品支持部の下面から下方に向かう垂下片と、前記垂下片の左右いずれか一方の側面に取り付けられたレール部の固定部と、前記固定部に対して移動可能な前記レール部の移動部と、前記レール部の前記移動部の一方側の側面を閉塞する平板状の基片、前記基片の下端部から他方側に向かって延設されて下面に物品を吊下げ可能な吊支部材が設けられた水平片、及び前記水平片の他方側の端部から上方に向かって延設された立片によって正面視上向きコ字状とされた吊支具と、を備え、前記吊支具が前記レール部の前記移動部に取り付けられていることを特徴とする物品吊支構造である。
このような物品吊支構造においては、レール部の移動部は、吊支具の基片と、水平片と、立片、とによって包囲されるために、外部から直視できない。したがって、このような物品吊支構造によって、使用上の安全性を確保することができるとともに、体裁を良好にすることができる。
【００１１】
前記垂下片の他方の側面に第２レール部の固定部が取り付けられているとともに、前記吊支具の前記立片の一方側の面に前記第２レール部の移動部が取り付けられていてもよい。
これにより、このような物品吊支構造においては、物品をより安定的に吊支することができるとともに耐荷重が高められ、重量物を支障なく吊下げることができる。
【００１２】
前記吊支具の前記基片の上端から他方側に向かって、上部閉塞片が延設されていてもよい。
これにより、このような物品吊支構造においては、体裁を良好なものとすることができるともに、レール部に異物が侵入するのを防止して動作を良好に維持することができる。
【００１３】
また、本発明の別の態様は、上記物品吊支構造を有する物品収納什器である。
これにより、このような物品収納什器においては、使用上の安全性を確保することができるとともに、体裁を良好にすることができる。
【発明の効果】
【００１４】
本発明によれば、使用上の安全性を確保することができるとともに、体裁を良好にすることができる物品吊支構造及び物品収納什器を提供することができる。
【図面の簡単な説明】
【００１５】
【図１】本発明の物品吊支構造を有する物品収納什器の一例の斜め前方から視た外観斜視図である。
【図２】同物品吊支構造の縦断面図である。
【図３】同物品吊支構造の収納時の側面図である。
【図４】同物品吊支構造の引出し時の側面図である。
【図５】同実施形態の変形例の物品吊支構造の縦断面図である。
【発明を実施するための形態】
【００１６】
以下、本発明に係る物品吊支構造及び物品収納什器の一実施形態を、図１から図４を参照しながら説明する。ただし、本発明は、以下に説明する実施形態に限定されるものではない。また、図面においては、実施形態を説明するため、模式的に記載するとともに、一部分を大きくまたは強調して記載するなど適宜縮尺を変更して表現している。
【００１７】
図１は、本発明の物品吊支構造を有する物品収納什器の一例の斜め前方から視た外観斜視図である。
図１に示すように、物品収納什器１００は、什器本体１０１と、物品収納空間１０２と、物品吊支構造を構成する物品吊支部１０と、を備える。物品収納什器１００は、たとえば、病院、介護施設等のナースステーション等に設置される。
【００１８】
什器本体１０１は、前方が開放された箱形状に形成されている。什器本体１０１の外形寸法は、什器本体１０１に収納される対象となる物品の大きさや形状に対応して適宜選択されてよい。本実施形態における什器本体１０１は、たとえば医療用のカテーテルセットを吊り下げて収納することができるように、高さ寸法が、例えば２１０ｃｍを有し、幅寸法が、例えば９０ｃｍを有し、奥行き寸法が、例えば６０ｃｍを有する。これらの寸法は、物品収納什器１００が設置される場所における間取りを効率よく利用できるように適宜変更されてよい。
什器本体１０１は、一対の側板１０３と、後板１０４と、天板１０５と、底板１０６と、を有する。什器本体１０１の上部には、蛇腹状のシャッター１０７を有する収納庫１０８を備える。
【００１９】
物品収納空間１０２は、底板１０６の上方に配置されている。この物品収納空間１０２には物品を収納することができる。たとえば、物品収納空間１０２には、不図示のカテーテルセット等の医療物品が収納される。
【００２０】
物品吊支部１０は、物品支持部１１を有する。物品支持部１１は、物品収納空間１０２の上部において一対の側板１０３と後板１０４とに固定されている。物品支持部１１の上面には、物品支持部１１の耐荷重の範囲内で任意の物品を適宜載置して収納することが可能である。たとえば、医療用のカテーテルセットと共に利用される物品であって吊り下げによる収納に適さない物品、たとえば注射器、針、手袋その他の医療器具類が物品支持部１１に載置されてよい。
【００２１】
次に、物品吊支部１０の詳細について説明する。図２は、物品吊支部１０の縦断面図である。図２に示すように、物品吊支部１０は、第１垂下片１２と、第１レール部１３と、第２垂下片１４と、第２レール部１５と、吊支具１６と、を備える。
【００２２】
第１垂下片１２は、前後方向に長さを有する板部材であって、物品支持部１１の一方側の下面に固定されることにより、物品支持部１１から下方に向けて垂下する。
【００２３】
第１レール部１３は、第１固定部１７と、第１移動部１８と、を備える。
第１固定部１７は、アウターレール１９と、インナーレール２０と、これらアウターレール１９及びインナーレール２０の間に保持部材２１を介して組み込まれたボール部材２２と、を備える。アウターレール１９と、インナーレール２０とは、前後方向に長さを有する。ボール部材２２は、前後方向に複数個が並べられている。第１固定部１７は、不図示のボルトとナット２３とによって第１垂下片１２に固定されている。
【００２４】
第１移動部１８は、第１固定部１７と同様に、アウターレール２４と、インナーレール２５と、これらアウターレール２４及びインナーレール２５の間に保持部材２６を介して組み込まれたボール部材２７と、を備える。アウターレール２４と、インナーレール２５とは、前後方向に長さを有する。ボール部材２７は、前後方向に複数個が並べられている。第１移動部１８は、第１固定部１７に対して前後方向にスライド移動可能である。第１固定部１７のインナーレール２０と、第１移動部１８のインナーレール２５とは、接合されている。
【００２５】
第２垂下片１４は、前後方向に長さを有する板部材であって、物品支持部１１の他方側の下面に固定されることにより、物品支持部１１から下方に向けて垂下する。
【００２６】
第２レール部１５は、第２固定部２８と、第２移動部２９と、を備える。第２固定部２８は、アウターレール３０と、インナーレール３１と、これらアウターレール３０及びインナーレール３１の間に保持部材３２を介して組み込まれたボール部材３３と、を備える。アウターレール３０と、インナーレール３１とは、前後方向に長さを有する。ボール部材３３は、前後方向に複数個が並べられている。第２移動部２９は、第２固定部２８に対して前後方向にスライド移動可能である。第２固定部２８は、不図示のボルトとナット３４とによって第２垂下片１４に固定されている。
【００２７】
第２移動部２９は、第２固定部２８と同様に、アウターレール３５と、インナーレール３６と、これらアウターレール３５及びインナーレール３６の間に保持部材３７を介して組み込まれたボール部材３８と、を備える。アウターレール３５と、インナーレール３６とは、前後方向に長さを有する。ボール部材３８は、前後方向に複数個が並べられている。第２固定部２８のインナーレール３１と、第２移動部２９のインナーレール３６とは、接合されている。
【００２８】
吊支具１６は、水平片３９と、基片４０と、立片４１と、第１上部閉塞片４２と、第２上部閉塞片４３と、吊支部材４４と、を備える。吊支具１６の材質は、物品吊支部１０に要求される耐荷重に応じて適宜選択されてよい。本実施形態では、吊支具１６は金属製である。
【００２９】
水平片３９は、物品支持部１１から各固定部１７、２８及び各移動部１８、２９の高さ寸法及び幅寸法よりも十分に大きい離間寸法をおいた位置において物品支持部１１に平行に配置されている。
【００３０】
基片４０は、水平片３９の左右方向の一方の端部に固定されており、水平片３９に対して垂直に物品支持部１１に向けて延出されている。本実施形態では、基片４０は、水平片３９に対してねじ止め固定されており、水平片３９の左右方向の一方の端部からさらに左右方向の他方から一方へ向かう方向へ延びた後に上方へ９０°折り曲げられて物品支持部１１側へ延びている。本実施形態で基片４０の上端となる先端部には、第１上部閉塞片４２が接続されている。
第１上部閉塞片４２は、物品支持部１１からわずかに離れた下方の位置において物品支持部１１に平行に配置されている。基片４０は、第１レール部１３の第１移動部１８に有するアウターレール２４に不図示のボルトとナット４５とによって固定されている。
【００３１】
立片４１は、水平片３９の左右方向の他方の端部（基片４０とは反対側の端部）から、水平片３９に対して垂直に物品支持部１１に向けて延出されている。本実施形態では、立片４１は、水平片３９に対してねじ止め固定されており、水平片３９の左右方向の他方の端部からさらに左右方向の一方から他方へ向かう方向へ延びた後に上方へ９０°折り曲げられて物品支持部１１側へ延びている。本実施形態で立片４１の上端となる先端部には、第２上部閉塞片４３が接続されている。
第２上部閉塞片４３は、物品支持部１１からわずかに離れた下方の位置において物品支持部１１に平行に配置されている。立片４１は、第２レール部１５の第２移動部２９に有するアウターレール３５に不図示のボルトとナット４６とによって固定されている。
【００３２】
吊支部材４４は、フック形状に形成されており、水平片３９の中央部に下方に向けて延出して固定されている。
そして、水平片３９と、基片４０と、立片４１との前面には、化粧板状のカバー板４７が取り付けられている。カバー板４７の形状、色彩、あるいは材質等は、特に限定されるものではなく、物品吊支部１０の意匠の一部として適宜設定されてよい。
【００３３】
次に、物品吊支部１０の動作について説明する。図３は、物品吊支部１０の収納時の側面図である。図４は、物品吊支部１０の引出し時の側面図である。
【００３４】
図３に示すように、物品吊支部１０は、物品が物品収納空間１０２内に収納される位置にあるときには、吊支具１６が両垂下片１２、１４の外側に重ねられて配置されている。このとき、外部の前方からは什器本体１０１内にあるカバー板４７のみが見え、外部の下方からは什器本体１０１内にある水平片３９のみが見え、外部の側方からは什器本体１０１内にある基片４０または立片４１が見える。そのため、各レール部１３、１５は見えない。
【００３５】
図４に示すように、物品吊支部１０は、物品収納空間１０２内に収納された物品が物品収納空間１０２外へ引出される際に、各移動部１８、２９が各固定部１７、２８に対してスライド移動されていく。そして、物品吊支部１０は、引き出された位置において、吊支具１６が両垂下片１２、１４から引き出された状態となる。このとき、外部の側方からは基片４０または立片４１のみが見え、各レール部１３、１５の各移動部１８、２９は、見えない。それは、各レール部１３、１５の各移動部１８、２９が、吊支具１６の基片４０と水平片３９と立片４１とによって包囲されているからである。
【００３６】
このように、本実施形態の物品吊支構造においては、各レール部１３、１５の各移動部１８、２９は、吊支具１６の基片４０と、水平片３９と、立片４１、とによって包囲されるために、外部から直視できない。したがって、このような物品吊支構造によって、使用上の安全性を確保することができるとともに、体裁を良好にすることができる。
【００３７】
また、本実施形態の物品吊支構造においては、第２垂下片１４の他方の側面に第２レール部１５の第２固定部２８が取り付けられているとともに、吊支具１６の立片４１の一方側の面に第２レール部１５の第２移動部２９が取り付けられる。したがって、このような物品吊支構造においては、物品をより安定的に吊支することができるとともに、重量物を支障なく吊下げることができる。
【００３８】
また、本実施形態の物品吊支構造においては、吊支具１６の基片４０の上端から他方側に向かって、第１上部閉塞片４２が延設されているために、体裁を良好なものとすることができるともに、各レール部１３、１５に異物が侵入するのを防止して動作を良好に維持することができる。
【００３９】
このように、本実施形態の物品収納什器１００においては、使用上の安全性を確保することができるとともに、体裁を良好にすることができる。
【００４０】
（変形例）
次に、物品吊支構造の変形例について説明する。図５は、本変形例の物品吊支構造の縦断面図である。
【００４１】
図５に示すように、本変形例の物品吊支部５０は、第１レール部１３を有しておらず、第２レール部１５のみで、吊支具１６を移動可能に支持している。
【００４２】
この場合、物品吊支部５０は引出し位置にあると、吊支具１６が両垂下片１２、１４から引き出された状態となり、外部の側方からは基片４０または立片４１のみが見え、第２レール部１５の第２移動部２９は、見えない。
【００４３】
本実施形態の物品吊支構造においては、単一の第２レール部１５のみで吊支具１６を移動可能に支持しているために、構造の単純化及び軽量化を図ることができる。
なお、本変形例と上記実施形態とは、物品収納空間１０２内に収納される物品の重量と物品吊支部１０，５０の耐荷重とを考慮して適宜選択されてよい。
【００４４】
以上、本発明の実施形態について図面を参照して詳述したが、具体的な構成はこの実施形態に限られるものではなく、本発明の要旨を逸脱しない範囲の設計変更等も含まれる。
【００４５】
例えば、水平片３９と基片４０と立片４１とは、図示したコ字形状に組み合わせて形成されるのに代えて、例えば、半円形状等の角のない形状その他曲面を有する構造にすることもできる。
【符号の説明】
【００４６】
１００  物品収納什器
１０１  什器本体
１０２  物品収納空間
１０３  側板
１０４  後板
１０５  天板
１０６  底板
１０７  シャッター
１０８  収納庫
１０、５０  物品吊支部
１１  物品支持部
１２  第１垂下片
１３  第１レール部（レール部）
１４  第２垂下片
１５  第２レール部（レール部）
１６  吊支具
１７  第１固定部（固定部）
１８  第１移動部（移動部）
１９、２４、３０、３５  アウターレール
２０、２５、３１、３６  インナーレール
２１、２６、３２、３７  保持部材
２２、２７、３３、３８  ボール部材
２３、３４、４５、４６  ナット
２８  第２固定部（固定部）
２９  第２移動部（移動部）
３９  水平片
４０  基片
４１  立片
４２  第１上部閉塞片
４３  第２上部閉塞片
４４  吊支部材
４７  カバー板
【図１】
2015142674.tif 000003
【図２】
2015142674.tif 000004
【図３】
2015142674.tif 000005
【図４】
2015142674.tif 000006
【図５】
2015142674.tif 000007